(57)【要約】      （修正有）【課題】バックライトの光源に起因する目玉ムラの発生をより抑制する照明装置を提供する。【解決手段】照明装置１００は、筐体１０と、筐体１０に配置された反射シート１１と、反射シート１１上に配置された導光板と、筐体１０において、導光板の端面に対向して設けられた複数の光源２０と、を備える。反射シート１１には、光源２０と対向する領域において、光源２０の幅よりも大きい幅を有する第１領域と、光源２０の幅以下の幅を有し、第１領域よりも光源２０から離れる方向に形成された第２領域とからなる切欠き部１１ａが設けられている。筐体１０には、切欠き部１１ａと重畳する遮光テープ３０が配置されている。【選択図】図３
2020042945.tif 000002
【特許請求の範囲】
【請求項１】
筐体と、
前記筐体に配置された反射シートと、
前記反射シート上に配置された導光板と、
前記筐体において、前記導光板の端面に対向して設けられた光源と、
を備え、
前記反射シートには、前記光源と対向する領域において、前記光源の幅よりも大きい幅を有する第１領域と、前記光源の幅以下の幅を有し、前記第１領域よりも前記光源から離れる方向に形成された第２領域とからなる切欠き部が設けられており、
前記筐体には、前記切欠き部と重畳する遮光テープが配置されている、
照明装置。
【請求項２】
前記反射シートと、前記導光板とを含むパネル構造は、前記光源に対向する部分の光の拡散度合いよりも、前記光源と、前記光源に隣接する光源との間の領域に対向する部分の光の拡散度合いの方が大きい、
請求項１に記載の照明装置。
【請求項３】
前記切欠き部の大きさは、前記光源が出射する光の出射角度に応じて決定される、
請求項１または２に記載の照明装置。
【請求項４】
前記遮光テープは、前記筐体に設けられたスタッド穴部を覆うように配置されている、
請求項１から３のいずれか１項に記載の照明装置。
【発明の詳細な説明】
【技術分野】
【０００１】
本発明は、照明装置に関する。
【背景技術】
【０００２】
近年、液晶表示装置は、高精細、狭額縁化が進んでいる。特に、車載関係では、車内装のインテリ化が進んできており、モバイル製品のようなスペースの厳しい狭額縁の製品が要望されている。ここで、入光側の額縁の寸法が、例えば、６〜７ｍｍ程しかない場合、額縁による斜光が不十分となり、液晶表示装置を斜めから視認した場合に、所謂目玉ムラが視認されてしまうことがある。
【０００３】
特許文献１は、フレームの鏡面反射を利用し、疑似的に斜め方向から観察した場合の光源の範囲を広げ、出光領域を広げることで、目玉ムラを解消する技術を開示している。
【先行技術文献】
【特許文献】
【０００４】
【特許文献１】国際公開第２０１６／１９４７１６号
【発明の概要】
【発明が解決しようとする課題】
【０００５】
特許文献１は、反射シートを光源から離れた位置に配置することによって、反射シートよりも反射率の高いフレームで光を反射させている。しかしながら、反射率シートよりも反射率の高いフレームで全体的な出光領域を広げるだけでは、目玉ムラを解消できない。
【０００６】
そこで、本発明は、バックライトの光源に起因する目玉ムラの発生をより抑制することのできる照明装置を提供することを課題とする。
【課題を解決するための手段】
【０００７】
本発明の照明装置は、筐体と、前記筐体に配置された反射シートと、前記反射シート上に配置された導光板と、前記筐体において、前記導光板の端面に対向して設けられた光源と、を備え、前記反射シートには、前記光源と対向する領域において、前記光源の幅よりも大きい幅を有する第１領域と、前記光源の幅以下の幅を有し、前記第１領域よりも前記光源から離れる方向に形成された第２領域とからなる切欠き部が設けられており、前記筐体には、前記切欠き部と重畳する遮光テープが配置されている。
【発明の効果】
【０００８】
本発明によれば、バックライトの光源に起因する目玉ムラの発生をより抑制することができる。
【図面の簡単な説明】
【０００９】
【図１】図１は、本実施形態に係る照明装置の詳細構成を示す斜視模式図である。
【図２】図２は、本発明の実施形態に係る照明装置の積層構造の断面を模式的に示す図である。
【図３】図３は、本発明の実施形態に係る照明装置の反射シートの構成を説明するための図である。
【図４】図４は、切欠き部の構成を説明するための図である。
【図５】図５は、切欠き部を形成する位置を説明するための図である。
【図６】図６は、遮光テープを配置する方法を説明するための図である。
【図７】図７は、遮光テープを配置することで異物の侵入を防止する方法を説明するための図である。
【図８】図８は、本発明の実施形態に係るパネル構造の光の拡散度を説明するための図である。
【発明を実施するための形態】
【００１０】
以下に図面を参照して、本発明に係る実施形態を詳細に説明する。なお、この実施形態により本発明が限定されるものではなく、また、実施形態が複数ある場合には、各実施形態を組み合わせて構成するものも含む。
【００１１】
図１は、本実施形態に係る表示装置の詳細構成を示す斜視模式図である。以下の説明においては、ＸＹＺ直交座標系を設定し、このＸＹＺ直交座標系を参照しつつ各部の位置関係について説明する。Ｘ軸、Ｙ軸、及びＺ軸は、それぞれ互いに直交する。本開示において、Ｘ軸方向は「第１方向」に相当し、Ｙ軸方向は「第２方向」に相当し、Ｚ軸方向は「第３方向」に相当する。また、本開示において、Ｘ軸及びＹ軸を含むＸＹ平面をＺ軸方向から見るＸＹ平面視は「平面視」に相当する。
【００１２】
図１に示す例において、照明装置１００は、Ｘ軸方向（第１方向）に延びる二辺と、Ｙ軸方向（第２方向）に延びる二辺と、を有する。照明装置１００は、液晶パネル４０と、液晶パネル４０を照明するバックライト６と、を含み、液晶パネル４０とバックライト６とがＺ軸方向（第３方向）に積層されている。
【００１３】
なお、照明装置１００は、ＸＹ平面視で矩形状であっても良い。本実施形態において、矩形とは、角丸の長方形を含む。つまり、四隅において、各辺が直交せずに、曲線である形状の四角を含む。例えば、ＸＹ平面視で長方形であっても良いし、角部の少なくとも１つが曲率を有していてもよい。さらにあるいは、照明装置１００は、ＸＹ平面視で矩形状以外の形状を有していてもよい。
【００１４】
液晶パネル４０は、ＸＹ平面に平行に設けられた表示領域と、表示領域の外周に設けられた周辺領域と、を有する。表示領域は、Ｚ軸方向（第３方向）から観察者より表示が確認できる。
【００１５】
バックライト６は、液晶パネル４０の背面から、少なくとも表示領域に対して光を照射する。
【００１６】
バックライト６は、ＸＹ平面視で表示領域に対応する位置に設けられた導光板（
図示せず）に対して、Ｘ軸方向（第１方向）及びＹ軸方向（第２方向）の一方端又は両端に並ぶ複数の光源（例えば、白色光を発する発光ダイオード（ＬＥＤ：Light  Emitting  Diode））を有する、所謂サイドライト型のバックライトであっても良い。また、バックライト６は、ＸＹ平面視で表示領域の直下に設けられた光源（例えば、白色光を発するＬＥＤ）を有する、所謂直下型のバックライトであっても良い。なお、バックライト６の光源への電力供給及び制御信号は、液晶パネル４０から供給される。
【００１７】
バックライト６と液晶パネル４０とは、例えば、接着テープを介して貼り合わされる。接着テープとしては、例えば、透光性の両面粘着シート（ＯＣＡ：Optical  Clear  Adhesive）であることが好ましい。
【００１８】
図１に示すように、液晶パネル４０は、ＴＦＴ基板５１と、ＴＦＴ基板５１に対向配置されるカラーフィルタ基板５２と、第１偏光板５３と、第２偏光板５５と、ドライバＩＣ５９と、ＦＰＣ（Flexible  Printed  Circuit）基板９と、を備える。
【００１９】
図１に示す例において、液晶パネル４０は、バックライト６側から、第２偏光板５５、ＴＦＴ基板５１、カラーフィルタ基板５２、第１偏光板５３の順で、Ｚ軸方向（第３方向）に積層されている。本開示において、ＴＦＴ基板５１は「第１基板」に相当し、カラーフィルタ基板５２は「第２基板」に相当する。
【００２０】
カラーフィルタ基板５２及びＴＦＴ基板５１は、透光性を有するガラスなどの基体である。ＴＦＴ基板５１は、基体上に薄膜トランジスタ（ＴＦＴ：Thin  Film  Transistor）素子が形成されている。カラーフィルタ基板５２には、カラーフィルタ、遮光層などが設けられている。ＴＦＴ基板５１と、カラーフィルタ基板５２との間には、液晶層が注入されている。
【００２１】
ＴＦＴ基板５１は、カラーフィルタ基板５２より、ＸＹ平面視で面積が大きい。Ｘ軸方向（第１方向）に延びるＴＦＴ基板５１の一辺がカラーフィルタ基板５２に対して張り出した状態で、ＴＦＴ基板５１とカラーフィルタ基板５２とが貼り合わされる。ＴＦＴ基板５１には、マトリクス状に配設された複数の画素電極と、この画素電極と絶縁して形成された共通電極とを有する。ＴＦＴ基板５１には、ＴＦＴ素子を介して、画素電極に画素信号を供給する画素信号線、各ＴＦＴ素子を駆動する走査信号線等の配線が形成される。なお、共通電極がＴＦＴ基板５１になくて、共通電極がカラーフィルタ基板５２に設けられても良い。
【００２２】
具体的に、図１に示す例では、ＴＦＴ基板５１のＸ軸方向（第１方向）の大きさと、カラーフィルタ基板５２のＸ軸方向（第１方向）の大きさとが等しく、ＴＦＴ基板５１のＹ軸方向（第２方向）の大きさが、カラーフィルタ基板５２のＸ軸方向（第１方向）の大きさよりも大きい。
【００２３】
また、図１に示すように、ＴＦＴ基板５１のＸ軸方向（第１方向）の両端の二辺と、カラーフィルタ基板５２のＸ軸方向（第１方向）の両端の二辺とがそれぞれ重なり、ＴＦＴ基板５１のＹ軸方向（第２方向）の一方端の一辺と、カラーフィルタ基板５２のＹ軸方向（第２方向）の一方端の一辺とが重なる。そしてＴＦＴ基板５１のＹ軸方向（第２方向）の他方端の一辺と、カラーフィルタ基板５２のＹ軸方向（第２方向）の他方端の一辺とがずれて貼り合わされる。
【００２４】
ＸＹ平面視において、カラーフィルタ基板５２から張り出したＴＦＴ基板５１の張り出し部５１ａを除く領域では、ＴＦＴ基板５１とカラーフィルタ基板５２とがＺ軸方向（第３方向）に重なる。これにより、液晶パネル４０のＸＹ平面視における外周端の端面は、ＴＦＴ基板５１の外周端の端面とＸＹ平面視で一致する。
【００２５】
次の、本実施形態に係る照明装置のパネル構造の断面の構造と、反射シートの構成について説明する。図２は、本発明の実施形態に係る照明装置の積層構造の断面を模式的に示す図である。図３は、本発明の実施形態に係る照明装置の反射シートの構成を説明するための図である。
【００２６】
図２に示すように、照明装置１００は、筐体１０と、反射シート１１と、導光板１２と、拡散シート１３と、第１プリズムシート１４と、第２プリズムシート１５と、偏光シート１６と、光源２０と、遮光テープ３０と、液晶パネル４０とを備える。図１では、筐体１０を省略して記載したが、図２では筐体１０も含めて記載している。
【００２７】
筐体１０は、照明装置１００の外側を構成する部材である。筐体１０の内部には、照明装置１００を構成する各部材が配置される。筐体１０の材料に特に制限はなく、例えば、アルミニウムから形成することができる。
【００２８】
反射シート１１は、筐体１０の表面に配置されている。反射シート１１は、導光板１２の下面側から漏れ出した光を反射して、導光板１２に再び入射させる。反射シート１１は、光を反射させる機能に加えて、光を拡散させる機能や、光を散乱させる機能などを有していてもよい。反射シート１１には、照明装置の分野において周知のものを用いることができる。具体的には、反射シート１１は、例えば、ＥＳＲ（Enhanced  Specular  Reflector）シートである。具体的には後述するが、反射シート１１は、光源２０の下部の領域において、切欠き部１１ａを有している。
【００２９】
導光板１２は、光源２０に対向している前後方向の端面から入射した光を、内部で拡散させ、拡散させた光を上方向の出射面から出射する。導光板１２には、照明装置の分野において周知のものを用いることができる、具体的には、導光板１２には、アクリル樹脂や、ポリカーボネート樹脂などの透過性樹脂が用いられる。
【００３０】
拡散シート１３は、導光板１２の出射面上に配置された透過性の光学部材である。拡散シート１３は、導光板１２の出射された光を拡散させることで、光の光学特性を調整する。なお、拡散シート１３には、例えば、照明装置の分野において、周知のものを用いることができる。
【００３１】
第１プリズムシート１４は、拡散シート１３上に配置された透過性の光学部材である。第１プリズムシート１４は、導光板１２の出射面上から出射され、拡散シート１３を介した光の光学特性を調整する。第１プリズムシート１４の表面には、例えば、断面が三角形状のプリズム構造が形成されている。
【００３２】
第２プリズムシート１５は、第１プリズムシート１４上に配置された透過性の光学部材である。第２プリズムシート１５は、導光板１２の出射面上から出射され、拡散シート１３と、第１プリズムシート１４とを介した光の光学特性を調整する。第２プリズムシート１５の表面には、例えば、断面が三角形状のプリズム構造が形成されていることが好ましい。
【００３３】
第１プリズムシート１４と、第２プリズムシート１５とは、集光シートとして機能する。第１プリズムシート１４と、第２プリズムシート１５とのそれぞれにプリズム構造が形成されている場合には、第１プリズムシート１４のプリズム構造と、第２プリズムシート１５のプリズム構造とが直交することが好ましい。これにより、集光機能を高めることができる。なお、第１プリズムシート１４と、第２プリズムシート１５とには、例えば、照明装置の分野において、周知のものを用いることができる。
【００３４】
偏光シート１６は、入射した光のうち、所定の方向に偏光した光のみを透過させる光学シートである。偏光シート１６には、照明装置の分野において、周知のものを用いることができる。具体的には、偏光シート１６には、例えば、ポリカーボネート樹脂を用いることができる。
【００３５】
光源２０は、Ｘ方向に沿って所定の間隔で複数設けられており、例えば、発光ダイオード(ＬＣＤ：Light  Emitting  Diode)である。光源２０は、光源２０に対向している導光板１２の端面に向かって、光を照射する。
【００３６】
遮光テープ３０は、光源２０の下部の領域における筐体１０に配置されており、遮光性の高い材料から構成されたテープである。ここで、遮光テープ３０は、遮光性の効果を高めるために黒色であることが好ましいが、これに限定されず、例えば、灰色であってもよい。遮光テープ３０は、光源２０の下部の領域に配置されているので、導光板１２の下面側から漏れ出した光や、光源２０が下方向に向かって出射した光を遮光する。遮光テープ３０は、筐体１０の全面に配置されている必要はなく、光源２０の下部の領域のみに配置されていればよい。
【００３７】
液晶パネル４０は、偏光シート１６上に配置されている。上述したように、液晶パネル４０は、ＴＦＴ基板５１と、カラーフィルタ基板５２と、ＴＦＴ基板５１と、カラーフィルタ基板５２との間に注入された液晶層とを含む構造を有している。
【００３８】
なお、以下では、反射シート１１と、導光板１２と、拡散シート１３と、第１プリズムシート１４と、第２プリズムシート１５と、偏光シート１６と、液晶パネル４０とをまとめてパネル構造と呼ぶこともある。また、上述したパネル構造の構成は、例示であり、本発明を限定するものでない。
【００３９】
図３を用いて、本実施形態に係る照明装置１００の反射シート１１の構成について説明する。図３は、照明装置１００の反射シート１１の構成を説明するための図である。なお、図３では、説明の簡単のため、筐体１０、反射シート１１、光源２０、および遮光テープ３０以外の構成については省略している。また、図３に示す光源２０の数は、本発明を限定するものではない。
【００４０】
図３に示すように、反射シート１１は、光源２０の下部の領域において、切欠き部１１ａを有している。本実施形態では、切欠き部１１ａから露出するように遮光テープ３０が配置されている。本実施形態では、このような構造を有することで、遮光テープ３０が、導光板１２の下面側から漏れ出した光や、光源２０が下方向に向かって出射した光を遮光する。切欠き部１１ａは、光源２０の近傍では幅が広く、光源２０から離れた領域では幅のせまい凸状の形状を有している。切欠き部１１ａと、隣接する切欠き部１１ａとは、互いに重ならないように形成されている。
【００４１】
図４を用いて、反射シート１１が有する切欠き部１１ａの構成について説明する。図４は、切欠き部１１ａの構成を説明するための図である。
【００４２】
図４に示すように、切欠き部１１ａは、凸状の形状をしており、幅の広い第１領域１１ａ−１と、幅の狭い第２領域１１ａ−２とを有する。
【００４３】
第１領域１１ａ―１の幅方向の長さＬ１は、光源２０の幅方向の長さＤよりも長いことが好ましい。例えば、光源２０の幅方向の長さＤが３ｍｍである場合には、第１領域１１ａ−１の幅方向の長さＬ１は、４ｍｍである。具体的には、第１領域１１ａ−１の幅方向の長さＬ１は、光源２０が出射する光のうち、幅方向に広がった光を遮光テープ３０が吸収できるような長さとすればよい。また、第１領域１１ａ−１の幅方向の長さＬ１は、隣接する第１領域１１ａ−１と重ならない長さとすればよい。
【００４４】
第２領域１１ａ−２の幅方向の長さＬ２は、光源２０の幅方向の長さＤと同等である。例えば、光源２０の幅方向の長さＤが３ｍｍである場合には、第２領域１１ａ−２の幅方向の長さＬ２は、３ｍｍである。第２領域１１ａ−２の幅方向の長さＬ２は、３ｍｍよりも短くてもよい。すなわち、第２領域１１ａ−２の幅方向の長さＬ２は、光源２０の幅方向の長さＤ以下であることが好ましい。
【００４５】
切欠き部１１ａを、第１領域１１ａ−１と、第２領域１１ａ−２とを含む形状とすることで、例えば、４ｍｍ×４ｍｍの四角形の切欠き部を形成する場合と比べて、反射シート１１を切り欠く面積を小さくすることができる。これにより、反射シート１１を切り欠くことに起因する輝度の低下を抑制することができる。
【００４６】
切欠き部１１ａの光源２０から出射された光の進行方向における長さＬ３は、特に制限はないが、第１領域１１ａ―１の幅方向の長さＬ１が４ｍｍである場合には、例えば、４ｍｍである。具体的には、切欠き部１１ａの光の進行方向における長さＬ３は、光源２０が出射する光のうち、光の進行方向であり、かつ下方向に出射する光を遮光テープ３０が吸収できる長さとすればよい。この場合、切欠き部１１ａの光の進行方向における長さＬ３は、例えば、光源２０が出射する光の出射角度と、光源２０から反射シート１１までの距離とに基づいて決定することができる。この場合、長さＬ３のうち、例えば、第１領域１１ａ−１の光の進行方向の長さを１ｍｍ以上とし、残りの長さを第２領域１１ａ−２とすることができる。なお、第２領域１１ａ−２の光の進行方向における長さを短くするに従って、輝度のロスも大きくなる。そのため、第２領域１１ａ−２の光の進行方向における長さは、照明装置１００の輝度を考慮して、第２領域１１ａ−２の光の進行方向における長さを決定してもよい。また、光源２０の先端から、図１に図示の液晶パネル４０のアクティブエリアまでの距離Ｒ１は、例えば、４．１ｍｍである。切欠き部１１ａは、光源２０の先端から液晶パネル４０のアクティブエリアまでの間の領域に形成されていることが好ましい。
【００４７】
図５を用いて、照明装置１００において、切欠き部１１ａが設けられている位置について説明する。図５は、切欠き部１１ａが設けられている位置を説明するための図である。
【００４８】
図５に示すように、光源２０は、Ｘ方向に沿った筐体１０の第１側面１０Ａと、筐体１０の第２側面１０Ｂとに沿って複数設けられている。ここで、第１側面１０Ａに設けられた光源２０から液晶パネル４０のアクティブエリアまでの距離と、第２側面１０Ｂに設けられた光源２０からアクティブエリアまでの距離は異なっている。
【００４９】
第１側面１０Ａに設けられた光源２０からアクティブエリアまでの距離Ｒ１は、上述したように、例えば、４．１ｍｍである。一方、第２側面１０Ｂに設けられた光源２０からアクティブエリアまでの距離Ｒ２は、例えば、４．９ｍｍである。この場合、切欠き部１１ａは、反射シート１１の第１側面１１Ａのみに設け、反射シート１１の第２側面１１Ｂには設けなくてもよい。これは、光源２０からアクティブエリアまでの距離が長ければ、光源２０から出射された光が十分に拡散するので、目玉ムラが発生しないためである。換言すれば、本実施形態では、目玉ムラが発生する側面にのみ切欠き部１１ａを設ければよい。
【００５０】
図５に示した例では、光源２０は、筐体１０の第１側面１０Ａと、第２側面１０Ｂとの両方に設けられているものとして説明したが、これは例示であり、本発明を限定するものではない。光源２０は、第１側面１０Ａと、第２側面１０Ｂとの少なくとも一方に設けられていればよい。
【００５１】
図６と、図７とを用いて、遮光テープ３０を筐体１０に配置する方法の一例について説明する。図６は、遮光テープ３０を配置する方法を説明するための図である。図７は、遮光テープ３０の他の効果を説明するための図である。
【００５２】
図６に示すように、遮光テープ３０は、筐体１０の第１側面１０Ａに沿って貼り付けられている。遮光テープ３０は、例えば、接着剤を介して、筐体１０の第１側面１０Ａに沿って貼り付けられている。遮光テープ３０は、筐体１０の内部の前面に設けられている必要はなく、光源２０の真下の近傍の領域に貼り付けられていればよい。この場合、遮光テープ３０は、スタッド部７０のスタッド穴部７１を覆うように貼り付けられる。なお、図７では、説明を判り易くするためにスタッド穴部７１が示されているが、実際には、スタッド穴部７１は遮光テープ３０によって覆われている。
【００５３】
図７は、筐体１０の背面の構成を示している。図７に示すように、筐体１０の背面にはスタッド穴部７１に対応するスタッド部７０が設けられている。本実施形態の照明装置１００は、例えば、スタッド部７０にスタッドピンをねじ込むことによって、ユーザの所望の箇所に取り付けられる。この時、スタッド部７０にスタッドピンをねじ込む際に発生する、スタッド部７０の削りかすなどの異物が照明装置１００の内部に侵入してしまうことが問題となることがある。本実施形態では、スタッド穴部７１は遮光テープ３０で覆われているので、照明装置１００の内部への異物の侵入が抑制される。換言すれば、遮光テープ３０は、照明装置１００の内部への異物の侵入を防止する。
【００５４】
図８を用いて、パネル構造の光の拡散度合いについて説明する。図８は、パネル構造の光の拡散度合いを説明するための図である。本実施形態は、筐体１０に遮光テープ３０を配置することに加えて、パネル構造の光の拡散度合いを調整することによっても、目玉ムラの発生を抑制することができる。
【００５５】
パネル構造６０は、場所に応じて異なる拡散度を有している。具体的には図８に示すように、パネル構造６０は、光源２０と対向する領域Ａと、光源２０と、隣接する光源２０との間の領域に対向する領域Ｂとを有している。この場合、領域Ａと、領域Ｂとでは、光の拡散度が異なっている。
【００５６】
領域Ａの光の拡散度合いは、領域Ｂの光の拡散度合いよりも弱い。このため、光源２０から出射された光を直接受ける領域Ａでの光の拡散が抑制されるため、領域Ａにおける輝度が低くなる。また、光源２０から出射された光を直接受けない領域Ｂではより光が拡散されるので、領域Ｂの位置における輝度が高くなる。これにより、本実施形態は、導光板１２における光の拡散度合いを均一にすることができるので、目玉ムラを抑制することができる。領域Ａと、領域Ｂの拡散度合いを調整する方法に特に制限はない。例えば、領域Ａにおける導光板１２の表面を、領域Ｂにおける導光板１２の表面を滑らかにすることによって、領域Ａと、領域Ｂとの拡散度合いを調整すればよい。例えば、領域Ａにおける導光板１２の内部に導入する散乱粒子の数を、領域Ｂにおける導光板１２の内部における散乱粒子の数を少なくすればよい。また、領域Ａにおける各シートの光学特性と、領域Ｂにおける各シートの光学特性とを調整することによって、領域Ａにおける光の拡散度合いと、領域Ｂにおける光の拡散度合いを調整するようにしてもよい。
【００５７】
上述のとおり、本実施形態は、反射シート１１に第１領域１１ａ−１と、第２領域１１ａ−２とを有する切欠き部１１ａを設け、かつ切欠き部１１ａから遮光テープ３０を露出させている。これにより、本実施形態は、目玉ムラの発生を抑制しつつ、輝度のロスも抑制することができる。
【００５８】
また、本実施形態は、光源２０と対向するパネル構造６０の光の拡散度合いよりも、光源２０と、光源２０との間の領域に対向するパネル構造６０の光の拡散度合いの方が大きい。これにより、本実施形態は、目玉ムラの発生をより抑制することができる。
【００５９】
また、本実施形態は、遮光テープ３０を筐体１０に設けられたスタッド穴部７１を覆うように配置している。これにより、本実施形態は、目玉ムラの発生を抑制しつつ、照明装置１００の表示領域への異物の侵入を防止することができる。
【００６０】
上述した内容により実施形態が限定されるものではない。また、上述した実施形態の構成要素には、当業者が容易に想到できるもの、実質的に同一のもの、いわゆる均等の範囲のものが含まれる。さらに、上述の実施形態の要旨を逸脱しない範囲で構成要素の種々の省略、置換及び変更を行うことができる。
【符号の説明】
【００６１】
６  バックライト
１０  筐体
１１  反射シート
１１ａ  切欠き部
１１ａ−１  第１領域
１１ａ−２  第２領域
１２  導光板
１３  拡散シート
１４  第１プリズムシート
１５  第２プリズムシート
１６  偏光シート
２０  光源
３０  遮光テープ
４０  液晶パネル
５１  ＴＦＴ基板（第１基板）
５２  カラーフィルタ基板（第２基板）
５３  第１偏光板
５５  第２偏光板
７０  スタッド部
７１  スタッド穴部
１００  照明装置
【図１】
2020042945.tif 000003
【図２】
2020042945.tif 000004
【図３】
2020042945.tif 000005
【図４】
2020042945.tif 000006
【図５】
2020042945.tif 000007
【図６】
2020042945.tif 000008
【図７】
2020042945.tif 000009
【図８】
2020042945.tif 000010